【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
特に、最大で２４ビット幅のＲＧＢビデオ信号から成るデータストリームを符号化および／または復号化するために設けられた回路装置（１００）であって、
互いに並列に配置された５つの５ｂ／６ｂ符号器ブロック（２０）と、前記５ｂ／６ｂ符号器ブロック（２０）と並列に配置された２ｂ／２ｂ符号器ブロック（３０）と、を有する少なくとも１つの符号器（１０）、
および／または
互いに並列に配置された５つの６ｂ／５ｂ復号器ブロック（７０）と、前記６ｂ／５ｂ復号器ブロック（７０）と並列に配置された２ｂ／２ｂ復号器ブロック（８０）と、を有する少なくとも１つの復号器（６０）、
を特徴とする回路装置。
【請求項２】
前記５ｂ／６ｂ符号器ブロック（２０）は、少なくとも１つのデータ入力部（２２）および少なくとも１つのデータ出力部（２４）を備えること、
前記２ｂ／２ｂ符号器ブロック（３０）は、少なくとも１つのデータ入力部（３２）および少なくとも１つのデータ出力部（３４）を備えること、
前記６ｂ／５ｂ復号器ブロック（７０）は、少なくとも１つのデータ入力部（７２）および少なくとも１つのデータ出力部（７４）を備えること、
前記２ｂ／２ｂ復号器ブロック（８０）は、少なくとも１つのデータ入力部（８２）および少なくとも１つのデータ出力部（８４）を備えること、
を特徴とする請求項１に記載の回路装置。
【請求項３】
前記５ｂ／６ｂ符号器ブロック（２０）は、少なくとも１つの入ってくる視差情報（Ｄ＿ｉｎ）のための少なくとも１つの視差入力部（２６）と、出ていく視差情報（Ｄ＿ｏｕｔ）のための少なくとも１つの視差出力部（２８）とを備えること、および
前記２ｂ／２ｂ符号器ブロック（３０）は、前記入ってくる視差情報（Ｄ＿ｉｎ）のための少なくとも１つの視差出力部（３６）と、前記出ていく視差情報（Ｄ＿ｏｕｔ）のための少なくとも１つの視差出力部（３８）とを備えること、
を特徴とする請求項１または２に記載の回路装置。
【請求項４】
前記視差情報（Ｄ＿ｉｎ）は、前記５ｂ／６ｂ符号器ブロック（２０）の各々を通過する際、および前記２ｂ／２ｂ符号器ブロック（３０）を通過する際に、それぞれの前記５ｂ／６ｂ符号器ブロック（２０）から出ていくデータ信号のＤＣバランスにより、および２ｂ／２ｂ符号器ブロック（３０）から出ていくデータ信号により、不変である（Ｄ＿ｏｕｔ＝Ｄ＿ｉｎ）、または、反転される（Ｄ＿ｉｎ＝０→Ｄ＿ｏｕｔ＝１、または、Ｄ＿ｉｎ＝１→Ｄ＿ｏｕｔ＝０）ことを特徴とする請求項３に記載の回路装置。
【請求項５】
前記６ｂ／５ｂ復号器ブロック（７０）は、少なくとも１つの入ってくる視差情報（Ｄ＿ｉｎ）のための少なくとも１つの視差入力部（７６）と、出ていく視差情報（Ｄ＿ｏｕｔ）のための少なくとも１つの視差出力部（７８）とを備えること、および
２ｂ／２ｂ復号器（８０）は、前記入ってくる視差情報（Ｄ＿ｉｎ）のための少なくとも１つの視差入力部（８６）と、前記出ていく視差情報（Ｄ＿ｏｕｔ）のための少なくとも１つの視差出力部（８８）とを備えること、
を特徴とする請求項１〜４の少なくとも一項に記載の回路装置。
【請求項６】
前記視差情報（Ｄ＿ｉｎ）は、前記６ｂ／５ｂ復号器ブロック（７０）の各々を通過する際に、および前記２ｂ／２ｂ復号器ブロック（８０）を通過する際に、それぞれ前記６ｂ／５ｂ復号器ブロック（７０）に、および前記２ｂ／２ｂ復号器ブロック（８０）に届くデータ信号のＤＣバランスにより、不変である（Ｄ＿ｏｕｔ＝Ｄ＿ｉｎ）、または、反転される（Ｄ＿ｉｎ＝０→Ｄ＿ｏｕｔ＝１、または、Ｄ＿ｉｎ＝１→Ｄ＿ｏｕｔ＝０）ことを特徴とする請求項５に記載の回路装置。
【請求項７】
前記視差情報（Ｄ＿ｉｎ，Ｄ＿ｏｕｔ）を用いる前記２ｂ／２ｂ符号器ブロック（３０）または前記２ｂ／２ｂ復号器ブロック（８０）の前記データ入力部（３２または８２）に対して、４つの可能性のある入力信号（００，０１，１０，１１）のうちの３つの入力信号を、特に、ＤＣバランス型の信号として用いることができることを特徴とする請求項２、３〜６の少なくとも一項に記載の回路装置。
【請求項８】
前記２ｂ／２ｂ符号器ブロック（３０）または前記２ｂ／２ｂ復号器ブロック（８０）の前記データ入力部（３２または８２）は、
少なくとも１つのＤＥ（データイネーブル）信号によって、および
少なくとも１つのＨＳ（水平同期）信号によって、
作動することができることを特徴とする請求項７に記載の回路装置。
【請求項９】
前記符号器（１０）は、それの下流に配置された、少なくとも１つのマルチプレクサ（４０）、具体的には、少なくとも１つの３２−ｔｏ−１マルチプレクサを有し、それを用いて、前記符号器（１０）によって出力された前記データストリームをシリアル化することができること、および
前記復号器（６０）は、それの下流に配置された、少なくとも１つのデマルチプレクサ（５０）、具体的には、少なくとも１つの１−ｔｏ−３２デマルチプレクサを有し、それを用いて、前記マルチプレクサ（４０）によって出力されたシリアルデータストリームを非直列化することができることと、
を特徴とする請求項１〜８の少なくとも一項に記載の回路装置。
【請求項１０】
特に、最大で２４ビット幅のＲＧＢビデオ信号から成るデータストリームを符号化および／または復号化するための方法であって、
５つの５ｂ／６ｂ符号器ブロック（２０）を用いて、および、前記５ｂ／６ｂ符号器ブロック（２０）と並列に配置された１つの２ｂ／２ｂ符号器ブロック（３０）を用いて符号化すること、および／または
互いに並列に配置された５つの６ｂ／５ｂ復号器ブロック（７０）を用いて、および、前記６ｂ／５ｂ復号器ブロック（７０）と並列に配置された１つの２ｂ／２ｂ復号器ブロック（８０）を用いて復号化すること、
を特徴とする方法。
【請求項１１】
視差情報（Ｄ＿ｉｎ）は、それぞれ前記５ｂ／６ｂ符号器ブロック（２０）および前記２ｂ／２ｂ符号器ブロック（３０）から出ていくデータ信号のＤＣバランスにより、前記５ｂ／６ｂ符号器ブロック（２０）の各々を通過中に、および前記２ｂ／２ｂ符号器ブロック（３０）を通過中に、不変である（Ｄ＿ｏｕｔ＝Ｄ＿ｉｎ）、または、反転される（Ｄ＿ｉｎ＝０→Ｄ＿ｏｕｔ＝１、または、Ｄ＿ｉｎ＝１→Ｄ＿ｏｕｔ＝０）こと、および
視差情報（Ｄ＿ｉｎ）は、それぞれ前記６ｂ／５ｂ復号器ブロック（７０）および前記２ｂ／２ｂ復号器ブロック（８０）に届く前記データ信号のＤＣバランスにより、前記６ｂ／５ｂ復号器ブロック（７０）の各々を通過中に、および前記２ｂ／２ｂ復号器ブロック（８０）を通過中に、不変である（Ｄ＿ｏｕｔ＝Ｄ＿ｉｎ）、または、反転される（Ｄ＿ｉｎ＝０→Ｄ＿ｏｕｔ＝１、または、Ｄ＿ｉｎ＝１→Ｄ＿ｏｕｔ＝０）こと、
を特徴とする請求項１０に記載の方法。
【請求項１２】
前記視差情報（Ｄ＿ｉｎ，Ｄ＿ｏｕｔ）を用いる前記２ｂ／２ｂ符号器ブロック（３０）または前記２ｂ／２ｂ復号器ブロック（８０）の前記データ入力部（３２または８２）に対して、４つの可能性のある入力信号（００，０１，１０，１１）のうちの３つの入力信号が、特に、ＤＣバランス型の信号として用いられることを特徴とする請求項１１に記載の方法。
【請求項１３】
前記２ｂ／２ｂ符号器ブロック（３０）または前記２ｂ／２ｂ復号器ブロック（８０）の前記データ入力部（３２または８２）は、
少なくとも１つのＤＥ（データイネーブル）信号によって、および
少なくとも１つのＨＳ（水平同期）信号によって、
作動されることを特徴とする請求項１２に記載の方法。
【請求項１４】
前記符号器（１０）によって出力された前記データストリームは、前記符号器（１０）の下流に配置された、少なくとも１つのマルチプレクサ（４０）によって、具体的には、少なくとも１つの３２−ｔｏ−１マルチプレクサによってシリアル化されること、および前記マルチプレクサ（４０）によって出力されたシリアルデータストリームは、前記復号器（６０）の上流に配置された、少なくとも１つのデマルチプレクサ（５０）、具体的には、少なくとも１つの１−ｔｏ−３２デマルチプレクサによって非直列化されること、
を特徴とする請求項１０〜１３の少なくとも一項に記載の方法。